(57)【要約】【課題】一対の各ケース体の四角板状の底板の左右辺部に形成された左右の側板を起立形成し、各側板の外方縁部及び底板の外方縁部に形成された重ね板を起立形成し、各重ね板を保持部により重合状に保持し、この一対のケース体を相互に内側外側に突き合わせ重合状に摺動自在に嵌合し、各側板に設けた位置固定部により各ケース体の重合摺動位置を調節固定して全体として開口容器状の衣類収納ケースを組み立てることができる。【解決手段】一対の各ケース体１・２は、四角板状の底板３・４と、底板の左右辺部に起立自在に形成された左右の側板５ａ・５ｂ・６ａ・６ｂと、各側板の外方縁部及び底板の外方縁部に起立自在に形成された重ね板３ａ・４ａ・５ｃ・５ｄ・６ｃ・６ｄと、各重ね板を重合状に保持可能な保持部７・８とからなり、かつ、各側板に各ケース体の重合摺動位置を調節固定可能な位置固定部９を設けてなる。【選択図】図１
2006043263.tif 000002
【特許請求の範囲】
【請求項１】
相互に内側外側に突き合わせ重合状に摺動自在な一対のケース体からなり、上記一対の各ケース体は、四角板状の底板と、該底板の左右辺部に起立自在に形成された左右の側板と、該各側板の外方縁部及び底板の外方縁部に起立自在に形成された重ね板と、該各重ね板を重合状に保持可能な保持部とからなり、かつ、該一対のケース体の各側板に各ケース体の重合摺動位置を調節固定可能な位置固定部を設けてなることを特徴とする引き出し用衣類収納ケース。
【請求項２】
上記位置固定部は、一方のケース体の左右の側板に形成された係止舌片及び他方のケース体の左右の側板に摺動方向に並列形成された複数個の係止穴からなることを特徴とする請求項１記載の引き出し用衣類収納ケース。
【請求項３】
上記保持部は上記一方の側板の外方縁部及び底板の外方縁部に形成された重ね板に形成された重ね係止穴及び上記他方の側板の外方縁部に形成された該重ね係止穴に係止可能な重ね係止舌片からなることを特徴とする請求項１又は２記載の引き出し用衣類収納ケース。
【請求項４】
上記一対のケース体のうちの、内側に位置するケース体の各側板に連結片を切り起こし形成し、該各連結片を連結可能な連結穴及び連結舌片からなる連結部を設けてなることを特徴とする請求項１〜３のいずれか１項に記載の引き出し用衣類収納ケース。
【請求項５】
上記各ケース体の側板に隣接配置された他のケース体の側板に接続可能な接続穴及び接続舌片からなる接続部を設けてなることを特徴とする請求項１〜４のいずれか１項に記載の引き出し用衣類収納ケース。
【請求項６】
上記底板、左右の各側板、各重ね板はそれぞれ透明な合成樹脂により一体に形成されていることを特徴とする請求項１〜５のいずれか１項に記載の引き出し用衣類収納ケース。
【発明の詳細な説明】
【技術分野】
【０００１】
本発明は例えば洋服箪笥や和箪笥、整理箪笥に設置されている引き出し内に衣類等の小物を収納する際に用いられる引き出し用衣類収納ケースに関するものである。
【背景技術】
【０００２】
従来この種の引き出し用衣類収納ケースとして、透明な合成樹脂製の組立展開可能な構造のものが知られている。
【０００３】
しかして、この衣類収納ケースを一個又は複数個引き出し内に設置し、衣類収納ケース内にソックスやブラジャー、ランジェリー、ブリーフ等の小物類を収納し、小物類を他の衣類と区分けして整理した状態で収納することになる。
【特許文献１】特許第２８２９８４０号
【発明の開示】
【発明が解決しようとする課題】
【０００４】
しかしながら上記従来構造の場合、衣類収納ケースの収納容積を可変することができないので、大小数種類の衣類収納ケースを用意する必要があり、それだけ、小物類の整理収納が困難となって雑然とした収納状態を呈することがあり、又、小物類を選択して取り出し難いことがあると共に引き出し内のスペースの有効利用が図れないことがある不都合を有している。
【課題を解決するための手段】
【０００５】
本発明はこれらの不都合を解決することを目的とするもので、本発明のうちで、請求項１記載の発明は、相互に内側外側に突き合わせ重合状に摺動自在な一対のケース体からなり、上記一対の各ケース体は、四角板状の底板と、該底板の左右辺部に起立自在に形成された左右の側板と、該各側板の外方縁部及び底板の外方縁部に起立自在に形成された重ね板と、該各重ね板を重合状に保持可能な保持部とからなり、かつ、該一対のケース体の各側板に各ケース体の重合摺動位置を調節固定可能な位置固定部を設けてなることを特徴とする引き出し用衣類収納ケースにある。
【０００６】
又、請求項２記載の発明は、上記位置固定部は、一方のケース体の左右の側板に形成された係止舌片及び他方のケース体の左右の側板に摺動方向に並列形成された複数個の係止穴からことを特徴とするものであり、又、請求項３記載の発明は、記保持部は上記一方の側板の外方縁部及び底板の外方縁部に形成された重ね板に形成された重ね係止穴及び上記他方の側板の外方縁部に形成された該重ね係止穴に係止可能な重ね係止舌片からなることを特徴とするものであり、又、請求項４記載の発明は、上記一対のケース体のうちの、内側に位置するケース体の各側板に連結片を切り起こし形成し、該各連結片を連結可能な連結穴及び連結舌片からなる連結部を設けてなることを特徴とするものである。
【０００７】
又、請求項５記載の発明は、上記各ケース体の側板に隣接配置された他のケース体の側板に接続可能な接続穴及び接続舌片からなる接続部を設けてなることを特徴とするものであり、又、請求項６記載の発明は、上記底板、左右の各側板、各重ね板はそれぞれ透明な合成樹脂により一体に形成されていることを特徴とするものである。
【発明の効果】
【０００８】
本発明は上述の如く、請求項１記載の発明にあっては、一対の各ケース体の四角板状の底板の左右辺部に形成された左右の側板を起立形成し、各側板の外方縁部及び底板の外方縁部に形成された重ね板を起立形成し、各重ね板を保持部により重合状に保持し、この一対のケース体を相互に内側外側に突き合わせ重合状に摺動自在に嵌合し、各側板に設けた位置固定部により各ケース体の重合摺動位置を調節固定して全体として開口容器状の衣類収納ケースを組み立てることができ、よって、この衣類収納ケースを箪笥の引き出し内に配置することになり、この衣類収納ケースを一個又は複数個引き出し内に設置することにより、衣類収納ケース内にソックスやブラジャー、ランジェリー、ブリーフ等の小物類を収納することができ、よって、小物類を他の衣類と区分けして整理した状態で収納することができ、それだけ小物類の選択取り出しが容易となると共に引き出し内のスペースの有効利用を図ることができ、また不使用時や商品流通段階においては、容易に平板状に展開することができ、それだけ保管や運搬面での融通性を高めることができる。
【０００９】
又、請求項２記載の発明にあっては、上記位置固定部は、一方のケース体の左右の側板に形成された係止舌片及び他方のケース体の左右の側板に摺動方向に並列形成された複数個の係止穴からなるので、一方のケース体に形成された係止舌片を他方のケース体に形成された複数個の係止穴のうちの選択した係止穴に差し込むことにより各ケース体の重合摺動位置を容易に調節固定することができ、又、請求項３記載の発明にあっては、上記保持部は上記一方の側板の外方縁部及び底板の外方縁部に形成された重ね板に形成された重ね係止穴及び上記他方の側板の外方縁部に形成された、重ね係止穴に係止可能な重ね係止舌片からなるので、各ケース体の展開及び組立を容易に行うことができ、又、請求項４記載の発明にあっては、上記一対のケース体のうちの、内側に位置する一方のケース体の各側板に連結片を切り起こし形成し、各連結片を連結可能な連結穴及び連結舌片からなる連結部を設けてなるから、各ケース体からなる衣類収納ケース内を区画することができ、それだけ収納を良好に行うことができると共に衣類収納ケースを保形することができる。
【００１０】
又、請求項５記載の発明にあっては、上記各ケース体の側板に隣接配置された他のケース体の側板に接続可能な接続穴及び接続舌片からなる接続部を形成しているから、隣接する衣類収納ケースを相互に連結することができ、使用の融通性を高めることができ、又、請求項６記載の発明にあっては、上記底板、左右の各側板、各重ね板はそれぞれ透明な合成樹脂により一体に形成されているから、底板、左右の各側板、各重ね板を介して収納した衣類を目視確認することができ、それだけ使用し易いものとなる。
【発明を実施するための最良の形態】
【００１１】
図１乃至図６は本発明の実施の形態例を示し、１・２は相互に内側外側に突き合わせ重合状に摺動自在な一対のケース体であって、この一対の各ケース体１・２は、四角板状の底板３・４と、底板３・４の左右辺部に折縁Ｆにより起立自在に形成された左右の側板５ａ・５ｂケース体・６ａ・６ｂと、各側板５ａ・５ｂ・６ａ・６ｂの外方縁部及び底板３・４の外方縁部に折縁Ｆにより起立自在に形成された重ね板５ｃ・５ｄ・６ｃ・６ｄ・３ａ・４ａと、各重ね板５ｃ・５ｄ・６ｃ・６ｄ・３ａ・４ａを重合状に保持可能な保持部７・８からなり、一対のケース体１・２の各側板５ａ・５ｂ・６ａ・６ｂに各ケース体１・２の重合摺動位置を調節固定可能な位置固定部９を設けて構成されている。
【００１２】
この場合、上記底板３・４、左右の各側板５ａ・５ｂ・６ａ・６ｂ、各重ね板５ｃ・５ｄ・６ｃ・６ｄ・３ａ・４ａはそれぞれ透明な合成樹脂により一体に形成されている。
【００１３】
この場合、上記位置固定部９は、一方のケース体１の左右の側板５ａ・５ｂに形成された係止舌片９ａ及び他方のケース体２の左右の側板６ａ・６ｂに摺動方向に並列形成された複数個の係止穴９ｂ・・・からなり、この係止舌片９ａは側板５ａ・６ａの切り起こしにより形成されている。
【００１４】
又、この場合、上記保持部７・８は上記一方の側板５ａ・６ａの外方縁部及び底板３・４の外方縁部に形成された重ね板３ａ・４ａ・５ｃ・６ｃに形成された重ね係止穴７ａ・７ｂ・８ａ・８ｂ及び上記他方の側板５ｂ・６ｂの外方縁部に形成された、重ね係止穴７ａ・７ｂ・８ａ・８ｂに係止可能な重ね係止舌片７ｃ・８ｃからなる。
【００１５】
又、この場合、上記一対のケース体のうちの、内側に位置する一方のケース体１の各側板５ａ・５ｂに連結片５ｅ・５ｆを切り起こし形成し、各連結片５ｅ・５ｆを連結可能な連結穴１０ａ及び連結舌片１０ｂからなる連結部１０を設けてなる。
【００１６】
又、この場合、上記各ケース体１・２の側板に隣接配置された他のケース体の側板に接続可能な接続穴１１ａ及び接続舌片１１ｂからなる接続部１１を形成している。
【００１７】
この実施の形態例は上記構成であるから、図３の如く、展開状態において、一対の各ケース体１・２の四角板状の底板３・４の左右辺部に形成された左右の側板５ａ・５ｂ・６ａ・６ｂを折縁Ｆにより起立形成し、この各側板５ａ・５ｂ・６ａ・６ｂの外方縁部及び底板３・４の外方縁部に形成された重ね板５ｃ・５ｄ・６ｃ・６ｄ・３ａ・４ａを折縁Ｆにより起立形成し、図２の如く、各重ね板５ｃ・５ｄ・６ｃ・６ｄ・３ａ・４ａを保持部７・８により重合状に保持し、図１の如く、この一対のケース体１・２を相互に内側外側に突き合わせ重合状に摺動自在に嵌合し、各側板５ａ・５ｂ・６ａ・６ｂに設けた位置固定部９により各ケース体１・２の重合摺動位置を調節固定して全体として開口容器状の衣類収納ケースＫを組み立てることができ、よって、この衣類収納ケースＫを箪笥Ｗの引き出しＧ内に配置することになる。
【００１８】
したがって、図６の如く、この衣類収納ケースＫを一個又は複数個引き出しＧ内に設置することにより、衣類収納ケースＫ内にソックスやブラジャー、ランジェリー、ブリーフ等の小物類Ｍを収納することができ、よって、小物類を他の衣類と区分けして整理した状態で収納することができ、それだけ小物類の選択取り出しが容易となると共に引き出し内のスペースの有効利用を図ることができ、また不使用時や商品流通段階においては、図３の如く、容易に平板状に展開することができ、それだけ保管や運搬面での融通性を高めることができる。
【００１９】
この場合、上記位置固定部９は、一方のケース体１の左右の側板５ａ・５ｂに形成された係止舌片９ａ及び他方のケース体２の左右の側板６ａ・６ｂに摺動方向に並列形成された複数個の係止穴９ｂ・・・からなるので、一方のケース体１に形成された係止舌片９ａを他方のケース体２に形成された複数個の係止穴９ｂ・・・のうちの選択した係止穴９ｂに差し込むことにより各ケース体１・２の重合摺動位置を容易に調節固定することができ、又、この場合、上記保持部７・８は上記一方の側板５ａ・６ａの外方縁部及び底板３・４の外方縁部に形成された重ね板３ａ・４ａ・５ｃ・６ｃに形成された重ね係止穴７ａ・７ｂ・８ａ・８ｂ及び上記他方の側板５ｂ・６ｂの外方縁部に形成された、重ね係止穴７ａ・７ｂ・８ａ・８ｂに係止可能な重ね係止舌片７ｃ・８ｃからなるので、各ケース体１・２の展開及び組立を容易に行うことができ、又、この場合、上記一対のケース体のうちの、内側に位置する一方のケース体１の各側板５ａ・５ｂに連結片５ｅ・５ｆを切り起こし形成し、各連結片５ｅ・５ｆを連結可能な連結穴１０ａ及び連結舌片１０ｂからなる連結部１０を設けてなるから、各ケース体１・２からなる衣類収納ケースＫ内を区画することができ、それだけ収納を良好に行うことができると共に衣類収納ケースＫを保形することができる。
【００２０】
又、この場合、上記各ケース体１・２の側板５ａ・６ａ・５ｂ・６ｂに隣接配置された他のケース体１・２の側板５ａ・６ａ・５ｂ・６ｂに接続可能な接続穴１１ａ及び接続舌片１１ｂからなる接続部１１を形成しているから、図６の如く、隣接する衣類収納ケースＫを相互に連結することができ、使用の融通性を高めることができ、又、この場合、上記底板３・４、左右の各側板５ａ・５ｂ・６ａ・６ｂ、各重ね板５ｃ・５ｄ・６ｃ・６ｄ・３ａ・４ａはそれぞれ透明な合成樹脂により一体に形成されているから、底板３・４、左右の各側板５ａ・５ｂ・６ａ・６ｂ、各重ね板５ｃ・５ｄ・６ｃ・６ｄ・３ａ・４ａを介して収納した衣類を目視確認することができ、それだけ使用し易いものとなる。
【００２１】
尚、本発明は上記実施の形態例に限られるものではなく、ケース体１・２、係合部７・８、位置固定部９、連結部１０・接続部１１の材質、形状や構造等は適宜改変して設計される。
【００２２】
以上、所期の目的を充分達成することができる。
【図面の簡単な説明】
【００２３】
【図１】本発明の実施の形態例の全体斜視図である。
【図２】本発明の実施の形態例の分離斜視図である。
【図３】本発明の実施の形態例の展開平面図である。
【図４】本発明の実施の形態例の側面図である。
【図５】本発明の実施の形態例の側面図である。
【図６】本発明の実施の形態例の使用状態図である。
【符号の説明】
【００２４】
１    ケース体
２    ケース体
３    底板
３ａ    重ね板
４    底板
４ａ    重ね板
５ａ    側板
５ｂ    側板
５ｃ    重ね板
５ｄ    重ね板
５ｅ    連結片
５ｆ    連結片
６ａ    側板
６ｂ    側板
６ｃ    重ね板
６ｄ    重ね板
７    保持部
７ａ    係止穴
７ｂ    係止穴
７ｃ    係止舌片
８    保持部
８ａ    係止穴
８ｂ    係止穴
８ｃ    係止舌片
９    位置固定部
９ａ    係止舌片
９ｂ    係止穴
１０    連結部
１０ａ    連結穴
１０ｂ    連結舌片
１１    接続部
１１ａ    接続穴
１１ｂ    接続舌片
【図１】
2006043263.tif 000003
【図２】
2006043263.tif 000004
【図３】
2006043263.tif 000005
【図４】
2006043263.tif 000006
【図５】
2006043263.tif 000007
【図６】
2006043263.tif 000008